(57)【特許請求の範囲】
【請求項１】
異なる波長のレーザ光を合成し分岐するレーザ光合成分岐装置であって、
波長が第１の波長のレーザ光である第１レーザ光を出射する第１レーザ光源と、
波長が前記第１の波長と異なる第２の波長のレーザ光である第２レーザ光を出射する第２レーザ光源と、
前記第１レーザ光源が出射した第１レーザ光と前記第２レーザ光源が出射した第２レーザ光が導入され、導入された第１レーザ光と第２レーザ光とを波長合成した合成光を出射するファイバ型ＷＤＭ光カプラと、
前記ファイバ型ＷＤＭ光カプラから出射された合成光が入射され、直線偏光の合成光を出射する偏光装置と、
前記偏光装置から出射された直線偏光の合成光を、当該分岐用ビームスプリッタにとってのｐ偏光の合成光と、当該分岐用ビームスプリッタにとってのｓ偏光の合成光とに分岐する偏光ビームスプリッタである分岐用ビームスプリッタとを有し、
前記偏光装置は、基体と、前記基体に固定された、前記ファイバ型ＷＤＭ光カプラの前記合成光の出射端を少なくとも固定する固定部と、前記基体に固定された、前記出射端より出射された前記合成光を平行光に変換するコリメータレンズと、前記基体に固定された、前記コリメータレンズが平行光に変換した前記合成光の、前記基体に対して定まる所定の方向の偏光成分を抽出し、抽出した偏光成分よりなる直線偏光の合成光を、前記分岐用ビームスプリッタに出射する偏光素子とを備え、
前記偏光装置は、前記偏光素子が出射する前記直線偏光の合成光の偏光方向が、前記分岐用ビームスプリッタにとってのｐ偏光の偏光方向とｓ偏光の偏光方向のそれぞれに対して、前記分岐用ビームスプリッタの合成光の分岐比に応じた角度傾くように配置されていることを特徴とするレーザ光合成分岐装置。
【請求項２】
請求項１記載のレーザ光合成分岐装置であって、
前記第１レーザ光源は、直線偏光の第１レーザ光を出射し、
前記第２レーザ光源は、直線偏光の第２レーザ光を出射し、
前記ファイバ型ＷＤＭ光カプラは、偏波保持型のファイバ型ＷＤＭ光カプラであって、当該ファイバ型ＷＤＭ光カプラには、直線偏光の偏光方向が揃えられた形態で第１レーザ光と第２レーザ光とが導入され、
前記偏光素子は、前記固定部に固定された前記ファイバ型ＷＤＭ光カプラの出射端から出射される前記合成光中の第１レーザ光と第２レーザ光の前記ファイバ型ＷＤＭ光カプラによって偏波保持された偏光方向の偏光成分を抽出し、抽出した偏光成分よりなる直線偏光の合成光を出射するように配置されていることを特徴とするレーザ光合成分岐装置。
【請求項３】
請求項２記載のレーザ光合成分岐装置であって、
前記偏光素子は、偏光ビームスプリッタであり、
当該偏光素子は、前記コリメータレンズが平行光に変換した前記合成光の、当該偏光素子にとってのｐ偏光の成分のみを透過して、前記直線偏光の合成光として前記分岐用ビームスプリッタに出射することを特徴とするレーザ光合成分岐装置。
【請求項４】
請求項１、２または３記載のレーザ光合成分岐装置であって、
前記第１レーザ光の第１の波長は可視領域外の波長であり、
前記第２レーザ光の第１の波長は可視領域内の波長であることを特徴とするレーザ光合成分岐装置。
【請求項５】
請求項４記載のレーザ光合成分岐装置であって、
前記第１レーザ光の第１の波長は1400nm以上2600nm以下であることを特徴とするレーザ光合成分岐装置。
【請求項６】
請求項１、２、３、４または５記載のレーザ光合成分岐装置と、当該レーザ光合成分岐装置の前記分岐用ビームスプリッタで分岐された合成光を、被測定体に照射し当該被測定体の計測を行う計測手段とを有することを特徴とするレーザ測定装置。
【発明の詳細な説明】
【技術分野】
【０００１】
本発明は、分岐したレーザ光を用いて測定を行うレーザ測定装置等において、レーザ光の合成と分岐を行う技術に関するものである。
【背景技術】
【０００２】
分岐したレーザ光を用いて測定を行うレーザ測定装置としては、レーザ光源から出射されたレーザ光を二つのレーザ光に分岐し、分岐した二つのレーザ光を異なる方向から被測定物に照射し、被測定物による二つのレーザ光の反射光に含まれるビート信号の周波数より被測定物の速度を測定するレーザ速度計（たとえば、特許文献１）や、レーザ光源から出射されたレーザ光を測定光と参照光に分岐し、測定対象物で反射した測定光と、音響光学素子（ＡＯＭ）を用いて周波数をシフトした参照光との合成光に含まれるビート信号の周波数より測定対象物の振動や速度や変位を測定するレーザドップラ振動計（たとえば、特許文献２）が知られている。
【０００３】
また、赤外光を用いて距離を計測する光学式距離計において、赤外光に可視光を波長合成器で合成して測定対象物に出射することにより、測定対象物上の赤外光の照射箇所を可視光により視認可能とする技術も知られている（たとえば、特許文献３）。
【先行技術文献】
【特許文献】
【０００４】
【特許文献１】特開２０１４-５２２８０号公報
【特許文献２】特開２００１-１５９５６１号公報
【特許文献３】特開２００５-０９８８３５号公報
【発明の概要】
【発明が解決しようとする課題】
【０００５】
分岐したレーザ光を用いて測定を行うレーザ測定装置において、測定に用いるレーザ光として、人間の目に対する安全性が高いアイセーフレーザ（波長1400nmから2600nmのレーザ）と呼ばれる近赤外のレーザ光を用いつつ、不可視光である近赤外のレーザ光の照射位置を視認できるように、可視光のレーザ光を近赤外のレーザ光に同軸状に合成して出射することが考えられる。
【０００６】
しかし、このような可視光のレーザ光と近赤外のレーザ光との合成を、分岐した二つの近赤外のレーザ光のそれぞれに可視光のレーザ光を合成する構成により実現する場合には、近赤外のレーザ光と分岐した近赤外のレーザ光の二つのそれぞれについて可視光のレーザ光を合成する構成を設ける必要が生じる。
【０００７】
したがって、可視光のレーザ光と近赤外のレーザ光との合成は、分岐する前の近赤外のレーザ光に可視光のレーザ光を合成することにより行い、その後に近赤外のレーザ光と可視光のレーザ光との合成光を分岐することが好ましい。
【０００８】
そして、この場合には、レーザ測定装置には、近赤外のレーザ光と可視光のレーザ光とを合成する構成に加え、近赤外のレーザ光と可視光のレーザ光との合成光を、所定の分岐比で分岐する構成を備える必要がある。すなわち、たとえば、分岐した合成光のうちの一方のみをＡＯＭなどの減衰を伴う素子を通過させた上で測定に用いる場合に、二つの合成光の強度を等しくするためには、当該素子における減衰分、当該素子を通過する合成光の強度が大きくなるように、合成光の分岐比を設定する必要がある。
【０００９】
そこで、本発明は、不可視光のレーザ光と可視光のレーザ光との合成と分岐を、簡易かつ分岐比の設定が容易な構成で実現することを課題とする。
【課題を解決するための手段】
【００１０】
前記課題達成のために、本発明は、異なる波長のレーザ光を合成し分岐するレーザ光合成分岐装置に、波長が第１の波長のレーザ光である第１レーザ光を出射する第１レーザ光源と、波長が前記第１の波長と異なる第２の波長のレーザ光である第２レーザ光を出射する第２レーザ光源と、前記第１レーザ光源が出射した第１レーザ光と前記第２レーザ光源が出射した第２レーザ光が導入され、導入された第１レーザ光と第２レーザ光とを波長合成した合成光を出射するファイバ型ＷＤＭ光カプラと、前記ファイバ型ＷＤＭ光カプラから出射された合成光が入射され、直線偏光の合成光を出射する偏光装置と、前記偏光装置から出射された直線偏光の合成光を、当該分岐用ビームスプリッタにとってのｐ偏光の合成光と、当該分岐用ビームスプリッタにとってのｓ偏光の合成光とに分岐する偏光ビームスプリッタである分岐用ビームスプリッタとを備えたものである。ただし、前記偏光装置は、基体と、前記基体に固定された、前記ファイバ型ＷＤＭ光カプラの前記合成光の出射端を少なくとも固定する固定部と、前記基体に固定された、前記出射端より出射された前記合成光を平行光に変換するコリメータレンズと、前記基体に固定された、前記コリメータレンズが平行光に変換した前記合成光の、前記基体に対して定まる所定の方向の偏光成分を抽出し、抽出した偏光成分よりなる直線偏光の合成光を、前記分岐用ビームスプリッタに出射する偏光素子とを備えている。また、前記偏光装置は、前記偏光素子が出射する前記直線偏光の合成光の偏光方向が、前記分岐用ビームスプリッタにとってのｐ偏光の偏光方向とｓ偏光の偏光方向のそれぞれに対して、前記分岐用ビームスプリッタの合成光の分岐比に応じた角度傾くように配置されている。
【００１１】
ここで、偏光素子が出射する前記直線偏光の合成光の偏光方向は偏光装置の傾きに追従して分岐用ビームスプリッタにとってのｐ偏光の偏光方向とｓ偏光の偏光方向のそれぞれに対して傾く。
【００１２】
よって、このようなレーザ光合成分岐装置によれば、第１レーザ光と第２レーザ光を合成した合成光の分岐用ビームスプリッタにおける合成光の分岐比を、偏光装置のみを、所望の分岐比に応じて、分岐用ビームスプリッタに対して傾けて配置するだけで、容易に設定することができる。
【００１３】
ここで、このようなレーザ光合成分岐装置は、前記第１レーザ光源は、直線偏光の第１レーザ光を出射し、前記第２レーザ光源は、直線偏光の第２レーザ光を出射し、前記ファイバ型ＷＤＭ光カプラは、偏波保持型のファイバ型ＷＤＭ光カプラであって、当該ファイバ型ＷＤＭ光カプラには、直線偏光の偏光方向が揃えられた形態で第１レーザ光と第２レーザ光とが導入され、前記偏光素子は、前記固定部に固定された前記ファイバ型ＷＤＭ光カプラの出射端から出射される前記合成光中の第１レーザ光と第２レーザ光の前記ファイバ型ＷＤＭ光カプラによって偏波保持された偏光方向の偏光成分を抽出し、抽出した偏光成分よりなる直線偏光の合成光を出射するように配置されているものであってもよい。また、この場合には、前記偏光素子として、偏光ビームスプリッタを用い、当該偏光素子において、前記コリメータレンズが平行光に変換した前記合成光の、当該偏光素子にとってのｐ偏光の成分のみを透過して、前記直線偏光の合成光として前記分岐用ビームスプリッタに出射するようにしてもよい。
【００１４】
このようにすることにより、ファイバ型ＷＤＭ光カプラ内でのクロストークの温度変化等に伴う変動に起因する、分岐用ビームスプリッタで分岐した各合成光の変動を抑制することができる。また、第１レーザ光源から出射された第１レーザ光の直線偏光の成分と、第２レーザ光源から出射された第２レーザ光の直線偏光の成分が、そのまま分岐用ビームスプリッタまで伝達されるので、分岐比の設定のために第１レーザ光や第２レーザ光が大きく減衰することもない。
【００１５】
ここで、以上のレーザ光合成分岐装置において、前記第１レーザ光の第１の波長は可視領域外の波長であり、前記第２レーザ光の第１の波長は可視領域内の波長であってもよい。また、この場合、第１レーザ光の第１の波長は1400nm以上2600nm以下とすることも好ましい。
また、本発明は、以上のレーザ光合成分岐装置と、当該レーザ光合成分岐装置の分岐用ビームスプリッタで分岐された合成光を、非測定体に照射し非測定体の計測を行う計測手段とを備えたレーザ測定装置も提供する。
【発明の効果】
【００１６】
以上のように、本発明によれば、不可視光のレーザ光と可視光のレーザ光との合成と分岐を、簡易かつ分岐比の設定が容易な構成で実現することができる。
【図面の簡単な説明】
【００１７】
【図１】本発明の実施形態に係るレーザドップラ速度計の構成を示す図である。
【図２】本発明の実施形態に係るファイバ型ＷＤＭ光カプラの構成を示す図である。
【図３】本発明の実施形態に係る偏光装置の構成を示す図である。
【図４】本発明の実施形態に係る偏光用ＰＢＳの周波数ゲイン特性を示す図である。
【発明を実施するための形態】
【００１８】
以下、本発明を、ドップラ速度計への適用を例にとり説明する。
図１に、本実施形態に係るレーザドップラ速度計の構成を示す。
図示するように、レーザドップラ速度計は、測定用レーザ光源１、照準用レーザ光源２、ファイバ型ＷＤＭ光カプラ３、偏光装置４、ＰＢＳ（偏光ビームスプリッタ）５、ＡＯＭ（音響光学素子）６、ミラー７、対物レンズ８、光検出器９、計測装置１０を備えている。
【００１９】
ここで、測定用レーザ光源１は、計測装置１０によって駆動され、直線偏光の近赤外レーザ光を測定光として出射する。測定用レーザ光源１が出射する近赤外レーザ光の波長としては、1400nmから2600nmまでのアイセーフレーザと呼ばれるレーザの波長範囲の波長を用いる。以下では、測定光として波長1550nmの近赤外レーザを用いるものとして説明を行う。
【００２０】
また、照準用レーザ光源２は、計測装置１０によって駆動され、直線偏光の可視レーザ光を照準光として出射する。以下では、照準光として波長635nmの赤色のレーザを用いるものとして説明を行う。
【００２１】
測定用レーザ光源１から出射された測定光は、波長1550nm用の偏波保持光ファイバ１１によってファイバ型ＷＤＭ光カプラ３に導入され、照準用レーザ光源２から出射された照準光は、波長635nm用の偏波保持光ファイバ２１によってファイバ型ＷＤＭ光カプラ３に導入される。ここで、ファイバ型ＷＤＭ光カプラ３に、偏波保持光ファイバ１１と偏波保持光ファイバ２１とから、測定光と照準光を同じ偏光方向に揃えられた状態で導入されるように、測定用レーザ光源１と偏波保持光ファイバ１１、照準用レーザ光源２と偏波保持光ファイバ２１、偏波保持光ファイバ１１とファイバ型ＷＤＭ光カプラ３、偏波保持光ファイバ２１とファイバ型ＷＤＭ光カプラ３は結合されている。
【００２２】
次に、ファイバ型ＷＤＭ光カプラ３は、偏波保持型のファイバ型ＷＤＭ光カプラ３であり、偏光方向を維持したまま、導入された測定光と照準光とを同軸状に波長合成し、波長合成した光を合成光として偏光装置４に出射する。
【００２３】
偏光装置４は、ファイバ型ＷＤＭ光カプラ３から入射する合成光を、所定の偏光方向の直線偏光の平行光束に変換してＰＢＳ５に出射する。
ＰＢＳ５は、偏光装置４から入射する合成光を分岐し、分岐した一方の合成光である第１分岐合成光を被測定物１００に照射し、分岐した他方の合成光である第２分岐合成光をＡＯＭ６に出射する。より具体的には、偏光ビームスプリッタであるＰＢＳ５は、偏光装置４から入射する合成光のｐ偏光の成分を透過し第１分岐合成光として被測定物１００に照射し、偏光装置４から入射する合成光のｓ偏光の成分を反射し第２分岐合成光としてＡＯＭ６に出射する。
【００２４】
次に、ＡＯＭ６は、計測装置１０から入力する所定周波数fsの駆動信号で駆動される。そして、ＡＯＭ６は、ＰＢＳ５から入射する第２分岐合成光をミラー７に向けて出射する。また、このとき、ＡＯＭ６は、第２分岐合成光の測定光を周波数fsシフトする。
【００２５】
そして、ミラー７は、ＡＯＭ６から入射する第２分岐合成光を反射し被測定物１００に照射する。
ここで、ＰＢＳ５から出射された第１分岐合成光とミラー７から出射された第２分岐合成光は、被測定物１００の同じ領域を照射する。また、ＰＢＳ５から出射された第１分岐合成光は、被測定物１００の移動方向と垂直な方向から被測定物１００の正の移動方向にθ傾けた方向から被測定物１００を照射し、ミラー７から出射された第２分岐合成光は、被測定物１００の移動方向と垂直な方向から被測定物１００の負の移動方向にθ傾けた方向から被測定物１００を照射する。なお、移動方向の正負は、測定の目的に応じて任意に設定してよい。
【００２６】
したがって、第１分岐合成光の測定光と第２分岐合成光の測定光が照射されている領域には、第１分岐合成光の照準光と第２分岐合成光の照準光による可視の光スポットも形成される。
【００２７】
次に、対物レンズ８は、被測定物１００で散乱された第１分岐合成光と第２分岐合成光の散乱光を光検出器９に集光し、光検出器９は集光された散乱光の測定光の成分を光電変換し、測定光の成分の強度を表す検出信号を計測装置１０に出力する。
【００２８】
ここで、第１分岐合成光の測定光の散乱光の周波数と第２分岐合成光の測定光の散乱光の周波数には、被測定物１００の移動速度に応じた大きさのドップラーシフトが生じており、光検出器９が出力する検出信号には、ドップラーシフトの大きさと、ＡＯＭ６における測定光のシフト周波数fsとに応じた周波数のビートが生じている。
【００２９】
そこで、計測装置１０は、光検出器９から出力された検出信号のビート周波数を計測し、計測したビート周波数と、シフト周波数fsとに基づいて、被測定物１００の移動速度ｖと移動方向を算定する。
【００３０】
次に、図２にファイバ型ＷＤＭ光カプラ３の構成を示す。
図示するように、ファイバ型ＷＤＭ光カプラ３は、二本の波長1550nm用の偏波保持光ファイバ(PANDAファイバ)３１、３２を溶融延伸して中央部で融着延伸した波長1550nm用の偏波保持型のファイバ型ＷＤＭ光カプラ３であり、二本の偏波保持光ファイバの入力側端にはそれぞれ光コネクタ３３、３４が設けられており、各光コネクタ３３、３４には、測定用レーザ光源１から出射された測定光を伝送する偏波保持光ファイバ１１と、照準用レーザ光源２から出射された測定光を伝送する偏波保持光ファイバ２１が、それぞれ接続される。なお、波長1550nm用の偏波保持光ファイバとは、波長1550nmの光に対して低損失となる偏波保持光ファイバである。
【００３１】
また、融着延伸した二本の偏波保持光ファイバ３１、３２のうちの一方の偏波保持光ファイバ３２の出力側端は終端されており、他方の偏波保持光ファイバ３１の出力側端には出力端子３５が接続されている。
【００３２】
そして、このようなファイバ型ＷＤＭ光カプラ３において、二本の偏波保持光ファイバ３１、３２の入力側端から偏波保持光ファイバ３１、３２に導入された直線偏光の測定光と照準光は、二本の偏波保持光ファイバ３１、３２の中央の融着延伸部で結合して合成光に波長合成され、直線偏光の合成光が出力端子３５から出射される。なお、出力端子３５から出射される合成光の直線偏光の方向は、偏波保持光ファイバ３１１の出力端子３５側の端部の向き/回転角に対して定まる。
【００３３】
ここで、以上のように、ファイバ型ＷＤＭ光カプラ３を波長1550nm用の偏波保持光ファイバを用いて形成しているので、波長635nmの照準光は比較的大きく減衰しながらファイバ型ＷＤＭ光カプラ３内を伝送されることとなるが、ある程度の距離は偏光方向を維持したまま伝送されるので、波長635nmの照準光と波長1550nmの測定光との波長合成は実現できる。
【００３４】
また、照準光は速度の測定精度には関わらず、照準光の出射レベルは、測定光の照射位置に視認できる光スポットを形成できるレベルであれば足りる。よって、ファイバ型ＷＤＭ光カプラ３における照準光の減衰は実用上問題とはならない。
【００３５】
次に、図３に偏光装置４の構成について説明する。
図３ａに偏光装置４の構成を示す。
図示するように、偏光装置４は、基板４１上に、ファイバ型ＷＤＭ光カプラ３の出力端子３５を装着し固定する固定部４２、コリメータレンズ４３、偏光用ＰＢＳ４４を固定配置したものである。
【００３６】
コリメータレンズ４３は、固定部４２に固定されたファイバ型ＷＤＭ光カプラ３の出力端子３５から入射する合成光を平行光束に変換して偏光用ＰＢＳ４４に出射する。
偏光用ＰＢＳ４４は、キューブ型の偏光ビームスプリッタであり、コリメータレンズ４３から入射する合成光の偏光用ＰＢＳ４４にとってのｐ偏光の成分を透過しＰＢＳ５に出射する。また、偏光用ＰＢＳ４４は、コリメータレンズ４３から入射する合成光の偏光用ＰＢＳ４４にとってのｓ偏光の成分を入射方向と直角な方向に反射出力する。なお、反射出力された合成光のｓ偏光の成分は、偏光用ＰＢＳ４４の後段の各部の動作に関わらない。
【００３７】
ここで、偏光用ＰＢＳ４４が出射する合成光の偏光用ＰＢＳ４４にとってのｐ偏光の偏光方向４１０は、ファイバ型ＷＤＭ光カプラ３の出力端子３５から出射される合成光の直線偏光の偏光方向３００と一致するように、固定部４２におけるファイバ型ＷＤＭ光カプラ３の出力端子３５の固定の向き/回転角や、固定部４２やコリメータレンズ４３や偏光用ＰＢＳ４４の配置は設定されている。
【００３８】
したがって、ファイバ型ＷＤＭ光カプラ３の出力端子３５から出射されるファイバ型ＷＤＭ光カプラ３で偏波保持された合成光の偏光方向（ファイバ型ＷＤＭ光カプラ３で完全に偏波保持された場合に出力端子３５から出射される直線偏光の合成光の偏光方向）を正規偏光方向３００として、ファイバ型ＷＤＭ光カプラ３の内部のクロストーク等により生じた、ファイバ型ＷＤＭ光カプラ３の出力端子３５から出射される合成光中の、正規偏光方向３００と偏光方向が異なる成分である非正規偏光成分は、偏光用ＰＢＳ４４で除去され、ファイバ型ＷＤＭ光カプラ３の出力端子３５から出射される合成光中の正規偏光方向３００の偏光成分のみが偏光用ＰＢＳ４４からＰＢＳ５に出射される。よって、このような偏光装置４によれば、温度変動などによって非正規偏光成分の大きさや非正規偏光成分の偏光方向（位相）が変動した場合でも、ＰＢＳ５で分岐した第１分岐合成光と第２分岐合成光の大きさが大きく変動してしまうことを排除できる。
【００３９】
さて、以上のような偏光装置４は、図３ｂ１、ｂ２に示すように、偏光装置４から出射する合成光の光軸を回転中心とする回転方向に、ＰＢＳ５における合成光の第１分岐合成光と第２分岐合成光への分岐比に応じた角度、ＰＢＳ５に対して傾けて配置し固定する。
【００４０】
ここで、図３ｂ２は、偏光装置４から出射する合成光の光軸と平行な方向から見たＰＢＳ５と、偏光装置４の偏光用ＰＢＳ４４の位置関係を表している。
ここで、図３ｃ１、ｃ２に、偏光装置４から出射する合成光の光軸と平行な方向から見たＰＢＳ５と、偏光装置４の偏光用ＰＢＳ４４の位置関係と、偏光装置４の偏光用ＰＢＳ４４から出射される合成光の直線偏光の大きさ４１０と、合成光のＰＢＳ５にとってのｐ偏光方向の成分の大きさ５１０、合成光のＰＢＳ５にとってのｓ偏光方向の成分の大きさ５２０との関係を示す。図示するように、偏光装置４のＰＢＳ５に対する、偏光装置４から出射する合成光の光軸を回転中心とする回転方向の角度を変えることにより、ＰＢＳ５に入射する直線偏光された合成光の、ＰＢＳ５にとってのｐ偏光方向の成分の大きさ５１０と、ＰＢＳ５に入射する直線偏光された合成光のＰＢＳ５にとってのｓ偏光方向の成分の大きさ５２０との比を任意に設定することができる。
【００４１】
そして、上述したように、ＰＢＳ５は、偏光装置４の偏光用ＰＢＳ４４から入射した合成光のＰＢＳ５にとってのｐ偏光の成分を透過し第１分岐合成光として被測定物１００に照射し、偏光装置４の偏光用ＰＢＳ４４から入射した合成光のＰＢＳ５にとってのｓ偏光の成分を反射し第２分岐合成光としてＡＯＭ６に出射する。
【００４２】
よって、偏光装置４のＰＢＳ５に対する、偏光装置４から出射する合成光の光軸を回転中心とする回転方向の角度を所望の分岐比に応じて設定するだけで、ＰＢＳ５における合成光の第１分岐合成光と第２分岐合成光への分岐比を所望の値に設定することができる。
【００４３】
また、以上のように、測定用レーザ光源１から出射された測定光の直線偏光の成分と、照準用レーザ光源２から出射された照準光の直線偏光の成分が、そのまま分岐用ビームスプリッタまで伝達されるので、分岐比の設定のために測定光や照準光が大きく減衰することもない。
【００４４】
なお、本実施形態では、ＡＯＭ６における第２分岐合成光の減衰分、第２分岐合成光が第１分岐合成光よりも大きくなるように、ＰＢＳ５における合成光の第１分岐合成光と第２分岐合成光への分岐比を設定する。
【００４５】
次に、測定装置の偏光用ＰＢＳ４４の周波数ゲイン特性を図４に示す。
図４ａに示すように偏光用ＰＢＳ４４を透過して出力されるｐ偏光Ｔｐの周波数ゲイン特性は、照準光の波長635nm近傍の周波数領域と、測定光の波長1550nm近傍の周波数領域で減衰が小さく、他の周波数領域で減衰が大きくなるように設定されている。
【００４６】
また、図４ｂに示すように、偏光用ＰＢＳ４４で反射して出力されるｓ偏光Ｒｓの周波数ゲイン特性も、照準光の波長635nm近傍の周波数領域と、測定光の波長1550nm近傍の周波数領域で減衰が小さく、他の周波数領域で減衰が大きくなるように設定されている。
【００４７】
ここで、このような２つの周波数領域で低損失となる周波数ゲインは、偏光用ＰＢＳ４４の斜面/反射面に蒸着する光学薄膜の構造、素材を適切に設定することにより実現できる。
【００４８】
なお、ＰＢＳ５としては、図４ａ、ｂに示した偏光用ＰＢＳ４４の周波数ゲイン特性と同じまたは同様の周波数ゲイン特性を持つ偏光ビームスプリッタを用いるようにしてよい。または、ＰＢＳ５と、偏光用ＰＢＳ４４としては同じ二つの偏光ビームスプリッタを用いてもよい。
【００４９】
以上、本発明の実施形態について説明した。
なお、以上の実施形態では、偏光装置４の基板４１にファイバ型ＷＤＭ光カプラ３の出力端子３５のみを固定したが、これは偏光装置４の基板４１に、ファイバ型ＷＤＭ光カプラ３の全体を固定するようにしてもよい。
また、偏光装置４の偏光用ＰＢＳ４４に代えて、ファイバ型ＷＤＭ光カプラ３の出力端子３５から出射されるファイバ型ＷＤＭ光カプラ３で偏波保持された合成光の偏光方向（図３ａの３００の方向）の直線偏光の成分のみを抽出しＰＢＳ５に出射する任意の偏光素子を用いるようにしてもよい。
【００５０】
また、以上の実施形態は、レーザ速度計への適用を例にとり説明したが、本実施形態で示した不可視のレーザ光と可視のレーザ光の合成と、合成したレーザ光の分岐に関わる構成は、分岐したレーザ光を用いて測定を行う任意のレーザ測定装置に同様に適用することができる。また、本実施形態の当該構成は、任意のレーザ光装置において、レーザ光を合成し分岐する構成として適用することができる。
【符号の説明】
【００５１】
１…測定用レーザ光源、２…照準用レーザ光源、３…ファイバ型ＷＤＭ光カプラ、４…偏光装置、５…ＰＢＳ、６…ＡＯＭ、７…ミラー、８…対物レンズ、９…光検出器、１０…計測装置、１１…偏波保持光ファイバ、２１…偏波保持光ファイバ、３１…偏波保持光ファイバ、３２…偏波保持光ファイバ、３３…光コネクタ、３４…光コネクタ、３５…出力端子、４１…基板、４２…固定部、４３…コリメータレンズ、４４…偏光用ＰＢＳ、１００…被測定物。
【図１】
0006558960.tif 000002
【図２】
0006558960.tif 000003
【図３】
0006558960.tif 000004
【図４】
0006558960.tif 000005